(57)【要約】      （修正有）【課題】外音の影響でリモコンの給湯温度設定の優先モードが変更される誤動作を生じない給湯機を提供する。【解決手段】浴室に設置され、給湯温度を調整可能な浴室リモコンと、浴室外に設置され、給湯温度を調整可能な台所リモコンと、浴室内の音を検知する浴室リモコンマイクと、給湯栓または浴室シャワーからの流水の有無を検知する流水検知器部と、浴室リモコンマイクにより検知された音が基準音量より大きく且つ流水がある場合に、給湯温度を調整可能なリモコンを浴室リモコンに限定する制御部と、を備える。【選択図】図４
2014070858.tif 000002
【特許請求の範囲】
【請求項１】
浴室に設置され、給湯温度を調整可能な浴室リモコンと、
浴室外に設置され、給湯温度を調整可能な浴室外リモコンと、
浴室内の音を検知する音検知部と、
給湯栓または浴室シャワーからの流水の有無を検知する流水検知部と、
前記音検知部により検知された音が基準音量より大きく且つ前記流水がある場合に、給湯温度を調整可能なリモコンを前記浴室リモコンに限定する制御部と、
を備えることを特徴とする給湯機。
【請求項２】
前記制御部は、浴槽内の湯を設定温度に保つふろ自動運転中である場合に、給湯温度を調整可能なリモコンを前記浴室リモコンに限定することを特徴とする請求項１記載の給湯機。
【請求項３】
前記制御部は、浴槽内に設定湯量の湯はりを行うふろ湯はり運転の終了からの経過時間が第１基準時間内である場合に、給湯温度を調整可能なリモコンを前記浴室リモコンに限定することを特徴とする請求項１または２記載の給湯機。
【請求項４】
浴槽内の水位の変化を検知する手段を更に備え、
前記制御部は、前記水位が変化してからの経過時間が第２基準時間内である場合に、給湯温度を調整可能なリモコンを前記浴室リモコンに限定することを特徴とする請求項１乃至３の何れか１項記載の給湯機。
【請求項５】
前記音検知部により検知された音が基準音量より大きく且つ前記流水がある場合に、入浴中であることを前記浴室外リモコンから報知する報知手段を更に備えることを特徴とする請求項１乃至４の何れか１項記載の給湯機。
【請求項６】
前記音検知部により検知された音が基準音量より大きい状態が節水基準時間継続した場合に、前記浴室リモコンから節水を促すための報知を行なう第２の報知手段を更に備えることを特徴とする請求項１乃至５の何れか１項記載の給湯機。
【請求項７】
前記音検知部により検知された音が基準音量より大きい状態が節水基準時間未満で終了した場合に、前記浴室リモコンから節水ができていることを報知する第３の報知手段を更に備えることを特徴とする請求項１乃至６の何れか１項記載の給湯機。
【請求項８】
前記音検知部が前記基準音量よりも大きい異常基準値以上の音を検知した場合に、前記浴室外リモコンから報知を行なう第４の報知手段を更に備えることを特徴とする請求項１乃至７の何れか１項記載の給湯機。
【発明の詳細な説明】
【技術分野】
【０００１】
本発明は、リモコンを用いて給湯温度の設定を行なう給湯機に関する。
【背景技術】
【０００２】
従来は、浴室リモコンのマイクを利用し、浴室内の音量が規定値より大きくなったことを検出すると、リモコンのモードを台所優先モードから浴室優先モードに変更することが提案されている。（例えば、特許文献１参照）
【先行技術文献】
【特許文献】
【０００３】
【特許文献１】特開２００９−１０９１０５号公報
【発明の概要】
【発明が解決しようとする課題】
【０００４】
しかしながら、浴室内の音量が規定値より大きくなった場合、浴室内に人がいないにもかかわらず、外音の影響で予期しない動作として浴室優先モードに変更されてしまうおそれがあった。
【０００５】
この発明は、上述のような課題を解決するためになされたもので、外音の影響でリモコンの給湯温度設定の優先モードが変更される誤動作を生じない給湯機を提供することを目的とする。
【課題を解決するための手段】
【０００６】
この発明に係る給湯機は、浴室に設置され、給湯温度を調整可能な浴室リモコンと、浴室外に設置され、給湯温度を調整可能な浴室外リモコンと、浴室内の音を検知する音検知部と、給湯栓または浴室シャワーからの流水の有無を検知する流水検知部と、音検知部により検知された音が基準音量より大きく且つ流水がある場合に、給湯温度を調整可能なリモコンを前記浴室リモコンに限定する制御部と、を備えるものである。
【発明の効果】
【０００７】
本発明に係る水処理装置によれば、外音の影響でリモコンの給湯温度設定の優先モードが変更される誤動作を生じない給湯機を提供することが可能となる。
【図面の簡単な説明】
【０００８】
【図１】本発明の実施の形態１の貯湯式給湯システムを示す構成図である。
【図２】本発明の実施の形態１における浴室リモコンを示す斜視図である。
【図３】本発明の実施の形態１における台所リモコンを示す斜視図である。
【図４】本発明の実施の形態１における制御部の制御動作を示すフローチャートである。
【図５】本発明の実施の形態２における制御部の制御動作を示すフローチャートである。
【図６】本発明の実施の形態３における制御部の制御動作を示すフローチャートである。
【図７】本発明の実施の形態４における制御部の制御動作を示すフローチャートである。
【図８】本発明の実施の形態５における制御部の制御動作を示すフローチャートである。
【発明を実施するための形態】
【０００９】
以下、本発明の貯湯式給湯機の実施の形態について、図面を参照して詳細に説明する。尚、各図面において共通する要素には、同一の符号を付して、重複する説明を省略する。また、本発明は、下記の実施の形態に限定されるものではない。
【００１０】
実施の形態１．
図１は、本発明の実施の形態１の貯湯式給湯システムを示す構成図である。図１に示すように、本実施形態の貯湯式給湯システムは、タンクユニット１と、加熱手段としてのヒートポンプユニット２と、ユーザーインターフェース装置としての浴室リモコン２１、台所リモコン３１および増設リモコン４１を備えている。タンクユニット１には、貯湯タンク７と、第１流水検知器１８と、第２流水検知器１０（流水検知部）と、本貯湯式給湯システムの動作を制御する制御部１１と、ポンプ類および弁類等が内蔵されている。制御部１１は、通信線５を介してヒートポンプユニット２と接続される。また、制御部１１は、通信線６を介して、浴室リモコン２１、台所リモコン（浴室外リモコン）３１および増設リモコン４１とそれぞれ接続される。浴室リモコン２１は浴室の壁に設置され、台所リモコン３１は台所の壁に設置され、増設リモコン４１はそれ以外の箇所に設置される。本実施形態では、このように３台のリモコン装置を設けているが、リモコン装置の台数はこれに限定されるものではなく、少なくとも浴室内および浴室外にそれぞれ１台以上のリモコン装置が設置される構成であればよい。
【００１１】
貯湯タンク７の下部には、水道等の外部の水源から供給される水を貯湯タンク７内、第１混合弁１７および第２混合弁１２にそれぞれ導くための入水側配管８が接続されている。また、貯湯タンク７は、戻り配管３および往き配管４を介して、ヒートポンプユニット２と接続されている。貯湯タンク７の上部には、貯湯タンク７内から取り出された湯が通る出湯配管５０の一端が接続されている。出湯配管５０の他端は、上述した第１混合弁１７および第２混合弁１２にそれぞれ接続されている。
【００１２】
第１混合弁１７は、出湯配管５０からの温水と入水側配管８からの市水とを混合し、第１混合弁流水検出器配管５１へ送湯する。第１混合弁流水検出器配管５１は、第１給湯路１９を介して浴槽（図示せず）に接続されている。第１混合弁１７は、通信線１３を介して制御部１１と接続されており、制御部１１により出湯配管５０からの温水と入水側配管８からの市水との混合割合が制御される。具体的には、浴槽に送湯される湯水の温度が浴室リモコン２１、台所リモコン３１或いは増設リモコン４１にて設定された給湯温度になるように、その開度が制御される。
【００１３】
また、第１混合弁流水検出器配管５１の途中には、第１流水検知器１８が設けられている。第１流水検知器１８は、通信線１５を介して制御部１１と接続されている。第１流水検知器１８は、第１混合弁流水検出器配管５１内の湯水の流水有無、すなわち浴槽への湯水の流水有無を検知し、その検知結果を制御部１１に送信可能になっている。
【００１４】
第２混合弁１２は、出湯配管５０からの温水と入水側配管８からの市水とを混合し、第２混合弁流水検出器配管５２へ送湯する。第２混合弁流水検出器配管５２は、第２給湯路９を介して蛇口やシャワー（図示せず）に接続されている。第２混合弁１２は、通信線１４を介して制御部１１と接続されており、制御部１１により出湯配管５０からの温水と入水側配管８からの市水との混合割合が制御される。具体的には、蛇口やシャワーに送湯される湯水の温度が浴室リモコン２１、台所リモコン３１或いは増設リモコン４１にて設定された給湯温度になるように、その開度が制御される。
【００１５】
また、第２混合弁流水検出器配管５２の途中には、第２流水検知器１０が設けられている。第２流水検知器１０は、通信線１６を介して制御部１１と接続されている。第２流水検知器１０は、第２混合弁流水検出器配管５２内の湯水の流水有無、すなわち浴槽以外への給湯の有無を検知し、その検知結果を制御部１１に送信可能になっている。
【００１６】
使用者は、浴室リモコン２１、台所リモコン３１、或いは増設リモコン４１を操作することにより、所望の動作の設定を行うことができる。浴室リモコン２１、台所リモコン３１、或いは増設リモコン４１で設定された情報は、制御部１１に送信され、制御部１１はその情報に基づいてヒートポンプユニット２やタンクユニット１内のポンプ類および弁類等を制御することにより、沸き上げ運転等の各種の動作を制御する。沸き上げ運転時には、貯湯タンク７内に貯留された水が往き配管４を通ってヒートポンプユニット２に送られ、ヒートポンプユニット２内の加熱熱交換器（図示省略）で沸き上げられた高温の湯が戻り配管３を通って貯湯タンク７に送られ、上部から貯湯タンク７内に流入する。
【００１７】
図２は、本発明の実施の形態１における浴室リモコン２１を示す斜視図である。図２に示すように、浴室リモコン２１は、例えば液晶表示装置で構成される浴室リモコン表示部２２と、複数のスイッチを有する浴室リモコン操作部２３と、浴室リモコンスピーカ２４と、浴室リモコンマイク２５とを備えている。浴室リモコン表示部２２には、貯湯タンク７内に貯えられている湯の温度（貯湯温度）や貯湯量、給湯温度、時刻、沸き上げモードなどの情報が表示可能になっている。使用者は、浴室リモコン操作部２３を操作することにより、貯湯タンク７の沸き上げ目標温度や給湯温度、沸き上げモードなどの設定の変更や、浴室リモコン表示部２２の表示内容の切り替えなどを行うことができる。
【００１８】
尚、浴室リモコン操作部２３には、浴室リモコン２１と浴室外リモコン（台所リモコン３１および増設リモコン４１）との間で給湯温度を変更可能なリモコンを切り替えるための機能が設けられている。具体的には、使用者が浴室リモコン操作部２３を操作することにより優先モードを浴室優先モードに設定している場合には、給湯温度を設定可能なリモコンが浴室リモコン２１に限定され、台所リモコン３１および増設リモコン４１からの給湯温度の変更が制限される。一方、使用者が優先モードを台所優先モードに設定している場合には、給湯温度を設定可能なリモコンが台所リモコン３１および増設リモコン４１に限定され、浴室リモコン２１からの給湯温度の変更が制限される。
【００１９】
浴室リモコンスピーカ２４は、浴室リモコン操作部２３の操作時の操作音や報知音を発生する。また、浴室リモコンマイク２５は、浴室内の音を検知する。尚、浴室リモコン２１の構成は上記の構成に限定されるものではなく、例えば、浴室リモコン表示部２２の機能と浴室リモコン操作部２３の機能とを兼ね備えるタッチパネル（タッチスクリーン）を設ける構成としてもよい。
【００２０】
図３は、本発明の実施の形態における台所リモコン３１を示す斜視図である。図３に示すように、台所リモコン３１は、台所リモコン表示部３２と、台所リモコン操作部３３と、台所リモコンスピーカ３４と、台所リモコンマイク３５とを備えている。台所リモコン３１の構成は、浴室リモコン２１とほぼ同様であるのでその説明を省略する。また、増設リモコン４１の構成も、浴室リモコン２１および台所リモコン３１とほぼ同様であるので、その説明を省略する。
【００２１】
使用者は、台所リモコン操作部３３を操作することにより、貯湯タンク７の沸き上げ目標温度や給湯温度、沸き上げモードなどの設定の変更や、浴室リモコン表示部２２の表示内容の切り替えなどを行うことができる。但し、台所リモコン３１からの給湯温度の変更は、上述した優先モードが台所優先モードに設定されている場合にのみ行なうことができる。
【００２２】
本発明の実施の形態１のシステムは、浴室リモコン２１の浴室リモコンマイク２５により検知される音および第２流水検知器１０によって検知される流水有無に基づいて、浴室内に入浴者がいることを正確に判断し、優先モードを自動的に切り替えることを特徴としている。以下、フローチャートを参照して、本発明の実施の形態１における制御部１１の制御動作について詳細に説明する。
【００２３】
図４は、本発明の実施の形態１における制御部１１の制御動作を示すフローチャートである。図４に示すルーチンでは、先ず、浴室リモコン２１にて浴室内の音量が検知され、当該音量が基準音量以上か否かが判定される（ステップＳ１）。基準音量は、使用者が入浴中である可能性を判定するためのしきい値であって、例えば、浴室内でのシャワー音に相当する音量等、予め設定された値が使用される。その結果、浴室内の音量が基準音量よりも小さい場合には、使用者が入浴中ではないと判断されて、本ルーチンは速やかに終了される。
【００２４】
一方、上記ステップＳ１において、浴室内の音量が基準音量よりも大きい場合には、使用者が入浴中である可能性が高いと判断されて、次のステップに移行し、第２流水検出器１０を用いて流水の有無が判定される（ステップＳ２）。その結果、流水がないと判定された場合には、何れの給湯も使用されておらず入浴中ではないと判断されて、本ルーチンは速やかに終了される。
【００２５】
一方、上記ステップＳ２において、流水があると判定された場合には、使用者が入浴中であると判断されて、次のステップに移行し、優先モードが自動的に浴室優先モードに切り替えられる（ステップＳ３）。これにより、蛇口またはシャワーの給湯温度は浴室リモコン２１の浴室リモコン操作部２３でのみ変更可能となる。
【００２６】
以上説明したように、本実施の形態１の装置によれば、浴室リモコン２１にて浴室内の基準音量以上の音量を検知するとともに、第２流水検出器１０にて湯（水）の流水を検出した場合に、リモコンの優先モードが台所優先モードから浴室優先モードに自動的に変更される。これにより、外音の影響でリモコンの給湯温度設定の優先モードが変更されてしまうような誤動作を有効に回避することが可能となる。
【００２７】
実施の形態２．
次に、図５を参照して本発明の実施の形態２について説明する。本発明の実施の形態２のシステムは、図１に示すハードウェア構成を用いて、後述する図５に示すルーチンを実行させることにより実現することができる。
【００２８】
本発明の実施の形態２のシステムは、浴槽の湯温を設定温度に維持するふろ自動運転の実行中、浴槽に湯をはる湯はり運転の終了から基準時間内、浴槽の水位が変化してから基準時間内、および浴室リモコン２１が操作されてから基準時間内の何れかに該当する場合に、リモコンの優先モードを台所優先モードから浴室優先モードへと変更することを特徴としている。以下、フローチャートを参照して、本発明の実施の形態２における制御部１１の制御動作について詳細に説明する。
【００２９】
図５は、本発明の実施の形態２における制御部１１の制御動作を示すフローチャートである。図５に示すルーチンでは、先ず、ふろ自動運転の実行中であるか否かが判定される（ステップＳ１０）。その結果、ふろ自動運転中であると判定された場合には、使用者の入浴により浴室内の給湯が使用される可能性が高いと判断されて、次のステップに移行し、優先モードが自動的に浴室優先モードに切り替えられる（ステップＳ１１）。これにより、蛇口またはシャワーの給湯温度は浴室リモコン２１の浴室リモコン操作部２３でのみ変更可能となる。
【００３０】
一方、上記ステップＳ１０において、ふろ自動運転中でないと判定された場合には、次のステップに移行し、ふろ湯はり運転の終了からの経過時間が第１基準時間内か否かが判定される（ステップＳ１２）。第１基準時間は入浴が予想される時間として予め設定された値が使用される。その結果、経過時間が第１基準時間内であると判定された場合には、使用者の入浴により浴室内の給湯が使用される可能性が高いと判断されて、上述したステップＳ１１に移行し、優先モードが自動的に浴室優先モードに切り替えられる。
【００３１】
一方、上記ステップＳ１２において、経過時間が第１基準時間内でないと判定された場合には、次のステップに移行し、浴槽の水位変動を検出してからの経過時間が第２基準時間内か否かが判定される（ステップＳ１３）。第２基準時間は入浴が予想される時間として予め設定された値が使用される。その結果、経過時間が第２基準時間内であると判定された場合には、使用者が入浴しており浴室内の給湯が使用される可能性が高いと判断されて、上述したステップＳ１１に移行し、優先モードが自動的に浴室優先モードに切り替えられる。
【００３２】
一方、上記ステップＳ１３において、経過時間が第２基準時間内でないと判定された場合には、次のステップに移行し、浴室リモコン２１の操作を検知してからの経過時間が第３基準時間内か否かが判定される（ステップＳ１４）。第３基準時間は入浴者が未だ入浴していると予想される時間として予め設定された値が使用される。その結果、経過時間が第３基準時間内であると判定された場合には、使用者が未だ入浴しており浴室内の給湯が使用される可能性が高いと判断されて、上述したステップＳ１１に移行し、優先モードが自動的に浴室優先モードに切り替わる。一方、本ステップにおいて経過時間が第３基準時間内でないと判定された場合には、本ルーチンは速やかに終了される。
【００３３】
以上説明したように、本実施の形態２のシステムによれば、浴室内での給湯の使用が予想される場合に、リモコンの優先モードが台所優先モードから浴室優先モードに自動的に変更される。これにより、入浴中に台所リモコン３１によって給湯温度が変更される事態を有効に回避することが可能となる。
【００３４】
ところで、上述した実施の形態２のシステムでは、ふろ自動運転中か否か等により優先モードの切り替え要否を判断することとしているが、上述した実施の形態１の装置の動作と組み合わせて実行することとしてもよい。この場合、図４に示すルーチンにおけるステップＳ２の判定が成立した後に、上記ステップＳ１０、Ｓ１２、Ｓ１３およびＳ１４のうちの少なくとも１つの判定を行うこととすればよい。これにより、外音の影響でリモコンの給湯温度設定の優先モードが変更するような誤動作を更に有効に回避することが可能となる。
【００３５】
実施の形態３．
次に、図６を参照して本発明の実施の形態３について説明する。本発明の実施の形態３のシステムは、図１に示すハードウェア構成を用いて、後述する図６に示すルーチンを実行させることにより実現することができる。
【００３６】
本発明の実施の形態３のシステムは、浴室内の音量を測定し、測定された音量が基準音量以上の場合は、誰かが入浴中であることを台所リモコン３１にて報知することを特徴としている。以下、フローチャートを参照して、本発明の実施の形態３における制御部１１の制御動作について詳細に説明する。
【００３７】
図６は、本発明の実施の形態３における制御部１１の制御動作を示すフローチャートである。図６に示すルーチンでは、先ず、浴室リモコン２１により検知された音量が基準音量以上か否かが判定される（ステップＳ２０）。基準音量は、入浴中であることを判断するためのしきい値であって、例えば、浴室内でのシャワー音に相当する音量等、予め設定された値が使用される。その結果、検知された音量が基準音量未満であった場合には、入浴中ではないと判断されて、本ルーチンは速やかに終了される。
【００３８】
一方、上記ステップＳ２０において、検知された音量が基準音量以上であった場合にはステップＳ２１に至り、第２流水検知器１０で流水の有無を判定し、流水が無いと判断されれば本ルーチンを終了し、流水があると判定した場合には、誰かが入浴中であると判断されて、ステップＳ２２に移行し、誰かが入浴中であることが台所リモコン３１の台所リモコン表示部３２に表示されるとともに、台所リモコンスピーカ３４から音による報知が行なわれる。
【００３９】
以上説明したように、本実施の形態３のシステムによれば、誰かが入浴中である場合に、台所リモコン３１から有効に報知することが可能となる。尚、実施の形態３の装置の動作は、上述した実施の形態１或いは２の装置における動作と組み合わせて実施することとしてもよい。
【００４０】
実施の形態４．
次に、図７を参照して本発明の実施の形態４について説明する。本発明の実施の形態４のシステムは、図１に示すハードウェア構成を用いて、後述する図７に示すルーチンを実行させることにより実現することができる。
【００４１】
本発明の実施の形態４のシステムは、浴室内の音量に基づいてシャワーの使用有無を判断し、シャワーの継続使用時間に応じて、節水を促す報知や節水が達成されていることの報知を、浴室リモコン２１から使用者に対して行なうことを特徴としている。以下、フローチャートを参照して、本発明の実施の形態４における制御部１１の制御動作について詳細に説明する。
【００４２】
図７は、本発明の実施の形態３における制御部１１の制御動作を示すフローチャートである。図７に示すルーチンでは、先ず、浴室でのシャワーの使用時間が節水基準時間を超えるか否かが判定される（ステップＳ３０）。ここでは、具体的には、浴室リモコン２１により検知された音量が基準音量を超えている時間が計測される。基準音量は、浴室においてシャワーを使用していることを判断するためのしきい値であって、予め設定された値が使用される。そして、当該計測された時間が節水基準値を超えるか否かが判定される。尚、節水基準時間は、節水を行なうためのシャワーの連続使用時間の目標値として設定された値が使用される。その結果、シャワーの使用時間が節水基準時間を超えると判定された場合には、次のステップに移行し、節水を促す旨が浴室リモコン２１の浴室リモコン表示部２２に表示されるとともに、浴室リモコンスピーカ２４から音による報知が行なわれる（ステップＳ３１）。
【００４３】
一方、上記ステップＳ３０において、シャワーの使用時間が節水基準時間以下であると判定された場合には、次のステップに移行し、節水ができていることが浴室リモコン２１の浴室リモコン表示部２２に表示されるとともに、浴室リモコンスピーカ２４から音による報知が行なわれる（ステップＳ３２）。
【００４４】
以上説明したように、本実施の形態４のシステムによれば、浴室内の音量から判断したシャワーの連続使用時間に応じて、浴室リモコン２１から節水に関する情報を有効に報知することが可能となる。尚、実施の形態４の装置の動作は、上述した実施の形態１乃至３の装置における動作と組み合わせて実施することとしてもよい。
【００４５】
実施の形態５．
次に、図８を参照して本発明の実施の形態５について説明する。本発明の実施の形態５のシステムは、図１に示すハードウェア構成を用いて、後述する図８に示すルーチンを実行させることにより実現することができる。
【００４６】
本発明の実施の形態５のシステムは、浴室内の音量から浴室における異常を判定し、異常が判定された場合に台所リモコン３１から表示や音にて使用者に報知することを特徴としている。以下、フローチャートを参照して、本発明の実施の形態４における制御部１１の制御動作について詳細に説明する。
【００４７】
図８は、本発明の実施の形態５における制御部１１の制御動作を示すフローチャートである。図８に示すルーチンでは、先ず、浴室リモコン２１により検知された音量が異常基準値以上か否かが判定される（ステップＳ４０）。異常基準値は、入浴中であることを判断するための音量（通常の浴室内で発生する入浴やシャワー、体洗などで発生する音量）よりも大きい値であって、例えば、入浴者の転倒や悲鳴、異常発生時の助けを求める叫び声などの大きな音に相当する音量が使用される。その結果、検知された音量が異常基準値未満であった場合には、浴室において異常が発生していないと判断されて、本ルーチンは速やかに終了される。
【００４８】
一方、上記ステップＳ４０において、検知された音量が異常基準値以上であった場合には、浴室内で何らかの異常が発生していると判断されて、次のステップに移行し、異常の発生が台所リモコン３１の台所リモコン表示部３２に表示されるとともに、台所リモコンスピーカ３４から音による報知が行なわれる。
【００４９】
以上説明したように、本実施の形態５のシステムによれば、浴室内にて異常が発生した場合に、台所リモコン３１から有効に報知することが可能となる。尚、実施の形態５の装置の動作は、上述した実施の形態１乃至４の装置における動作と組み合わせて実施することとしてもよい。
【符号の説明】
【００５０】
１  タンクユニット
２  ヒートポンプユニット
１０  第２流水検知器（流水検知部）
１１  制御部
２１  浴室リモコン
２２  浴室リモコン表示部（第２の報知手段，第３の報知手段）
２４  浴室リモコンスピーカ（第２の報知手段，第３の報知手段）
２５  浴室リモコンマイク（音検知部）
３１  台所リモコン（浴室外リモコン）
３２  台所リモコン表示部（報知手段，第４の報知手段）
３４  台所リモコンスピーカ（報知手段，第４の報知手段）
４１  増設リモコン（浴室外リモコン）
【図１】
2014070858.tif 000003
【図２】
2014070858.tif 000004
【図３】
2014070858.tif 000005
【図４】
2014070858.tif 000006
【図５】
2014070858.tif 000007
【図６】
2014070858.tif 000008
【図７】
2014070858.tif 000009
【図８】
2014070858.tif 000010